(57)【要約】【課題】ＳＡＲ規定によるＬＴＥ方式の通信スループットの低下を軽減する制御プログラム等を提供する。【解決手段】１ｘ方式の通信及びＬＴＥ方式の通信を同時に無線通信可能とするマルチ無線端末１のＣＰＵは、１ｘ方式の通信のプロトコル状態を監視する処理を実行する。更に、ＣＰＵは、１ｘ方式の通信のプロトコル状態が通信中の場合に、ＬＴＥ方式の通信の送信電力の最大値を制限する最大値制御を実行する処理を実行する。更に、ＣＰＵは、１ｘ方式の通信のプロトコル状態が通信中以外、例えば、アイドル中や位置登録動作中の場合に、最大値制御を停止する処理を実行する。【選択図】図３
2014072759.tif 000002
【特許請求の範囲】
【請求項１】
第１の通信方式の通信及び第２の通信方式の通信を同時に無線通信可能とする無線端末装置のプロセッサに、
前記第１の通信方式の通信のプロトコル状態を監視し、
前記第１の通信方式の通信のプロトコル状態が通信中の場合に、前記第２の通信方式の通信の送信電力の最大値を制限する最大値制御を実行すると共に、
前記第１の通信方式の通信のプロトコル状態が通信中以外の場合に、前記最大値制御を停止する
各処理を実行させることを特徴とする制御プログラム。
【請求項２】
前記最大値制御を停止する処理は、
前記第１の通信方式の通信の基地局に対するアイドル中又は位置登録中の状態を検出すると、前記第１の通信方式の通信のプロトコル状態が通信中以外の状態と判定することを特徴とする請求項１に記載の制御プログラム。
【請求項３】
前記最大値制御を実行する処理として、
前記第１の通信方式の通信のプロトコル状態が通信中の場合に、前記第１の通信方式の通信に関わる現在の送信電力値を取得し、
前記第１の通信方式の通信に関わる現在の送信電力値が取得されると、前記第１の通信方式の通信に関わる送信電力値に対応する前記第２の通信方式の通信の送信電力の最大値を格納した記憶部を参照し、前記第１の通信方式の通信に関わる現在の送信電力値に対応した前記第２の通信方式の通信の送信電力の最大値を設定し、設定された最大値に基づき、前記最大値制御を実行する
各処理を前記プロセッサに実行させることを特徴とする請求項１又は２に記載の制御プログラム。
【請求項４】
前記第１の通信方式は１ｘ方式、前記第２の通信方式はＬＴＥ方式であることを特徴とする請求項１〜３の何れか一つに記載の制御プログラム。
【請求項５】
前記最大値制御を実行する処理として、
前記第２の通信方式の通信又は前記第１の通信方式の通信の無線信号から国情報を取得し、
前記国情報が取得されると、前記第２の通信方式の通信の送信電力の最大値を前記国情報毎に格納した記憶部を参照し、取得された前記国情報に応じて前記第２の通信方式の通信の送信電力の最大値を設定し、設定された最大値に基づき、前記最大値制御を実行する
各処理を前記プロセッサに実行させることを特徴とする請求項１〜４の何れか一つに記載の制御プログラム。
【請求項６】
前記最大値制御を実行する処理として、
前記第２の通信方式の通信又は前記第１の通信方式の通信の無線信号から国情報及び事業者情報を取得し、
前記国情報及び前記事業者情報が取得されると、前記第２の通信方式の通信の送信電力の最大値を前記国情報及び前記事業者情報毎に格納した記憶部を参照し、取得された前記国情報及び前記事業者情報に応じて前記第２の通信方式の通信の送信電力の最大値を設定し、設定された最大値に基づき、前記最大値制御を実行する
各処理を前記プロセッサに実行させることを特徴とする請求項１〜４の何れか一つに記載の制御プログラム。
【請求項７】
第１の通信方式の通信及び第２の通信方式の通信を同時に無線通信可能とする無線端末装置のプロセッサに、
前記第２の通信方式の通信又は前記第１の通信方式の通信の無線信号から国情報を取得し、
前記国情報が取得されると、前記第２の通信方式の送信電力の最大値を前記国情報毎に格納した記憶部を参照し、取得された前記国情報に対応する前記第２の通信方式の通信の送信電力の最大値を設定し、設定された最大値に基づき、前記第２の通信方式の通信の送信電力の最大値を制限する最大値制御を実行する
各処理を実行させることを特徴とする制御プログラム。
【請求項８】
第１の通信方式の通信及び第２の通信方式の通信を同時に無線通信可能とする無線端末装置であって、
前記第１の通信方式の通信のプロトコル状態を監視する監視部と、
前記第１の通信方式の通信のプロトコル状態が通信中の場合に、前記第２の通信方式の通信の送信電力の最大値を制限する最大値制御を実行すると共に、前記第１の通信方式の通信のプロトコル状態が通信中以外の場合に、前記最大値制御を停止する制御部と
を有することを特徴とする無線端末装置。
【請求項９】
第１の通信方式の通信及び第２の通信方式の通信を同時に無線通信可能とする無線端末装置の制御方法であって、
前記無線端末装置は、
前記第１の通信方式の通信のプロトコル状態を監視し、
前記第１の通信方式の通信のプロトコル状態が通信中の場合に、前記第２の通信方式の通信の送信電力の最大値を制限する最大値制御を実行すると共に、
前記第１の通信方式の通信のプロトコル状態が通信中以外の場合に、前記最大値制御を停止する
各処理を実行することを特徴とする制御方法。
【発明の詳細な説明】
【技術分野】
【０００１】
本発明は、制御プログラム、無線端末装置及び制御方法に関する。
【背景技術】
【０００２】
近年、第３世代移動通信方式（３Ｇ：3rd  Generation）として、ＣＤＭＡ(Code  Division  Multiple  Access)２０００、ＣＤＭＡ２０００  １ｘ、及びＣＤＭＡ２０００  １ｘＥＶ−ＤＯ（Evolution-Data  Only）等の様々な通信方式が提案されている。ＣＤＭＡ２０００  １ｘは、ＣＤＭＡ２０００規格に含まれる技術仕様の一つであり、以下、単に「１ｘ」と称する。また、ＣＤＭＡ２０００  １ｘＥＶ−ＤＯは、１ｘ方式を改良してデータ通信に特化し、その通信速度を高速化した規格であって、以下、単に「ＥＶ−ＤＯ」と称する。
【０００３】
また、携帯電話機の無線通信の標準規格としてＬＴＥ（Long-Term  Evolution）や、固定無線通信の標準規格（ＷｉＭＡＸ（登録商標）：Worldwide  Interoperability  for  Microwave  Access）等の様々なデータ通信方式が提案されている。
【０００４】
例えば、１ｘ方式やＥＶ−ＤＯ方式等は近年広く普及したサービスであるため、基地局の設置台数も多く、その通信エリアも広範囲に及ぶ。これに対し、ＬＴＥ方式やＷｉＭＡＸ方式は、１ｘ方式に比較すると、新しいサービスであるため、都市部を中心に、１ｘ方式やＥＶ−ＤＯ方式の通信エリアに包含される狭い通信エリアである。
【０００５】
このような状況の下、携帯電話機等の無線端末では、例えば、１ｘ方式、ＥＶ−ＤＯ方式やＬＴＥ方式等の複数の通信方式を通信可能とするマルチ無線端末が提供されている。マルチ無線端末では、ユーザ操作に応じて、例えば、１ｘ方式及びＬＴＥ方式両方を使用して音声通信及びパケット通信を同時通信する通信モードや、例えば、ＬＴＥ方式のみでパケット通信を行う通信モードを選択できる。
【０００６】
また、無線端末では、人体に許容できる電磁波の基準値を規定したＳＡＲ（Specific  Absorption  Rate）規定に基づき、無線部の送信電力の最大値を制限する最大値制御機能が知られている。例えば、マルチ無線端末では、１ｘ基地局及びＬＴＥ基地局と同時に送信する場合に、１ｘ方式の無線部の１ｘ送信電力値を監視する。更に、マルチ無線端末は、１ｘ送信電力値に基づき、ＬＴＥ方式の無線部の送信電力の最大値、すなわちＬＴＥ送信電力最大値を設定する。そして、マルチ無線端末は、ＬＴＥ送信電力最大値に基づき、ＬＴＥ方式の無線部の送信電力値を制限する。
【０００７】
つまり、マルチ無線端末では、１ｘ方式の通信の現在のプロトコル状態に関係なく、一律にＬＴＥ送信電力最大値を設定し、設定されたＬＴＥ送信電力最大値に基づき、ＬＴＥ方式の無線部の送信電力値を制限する。
【先行技術文献】
【特許文献】
【０００８】
【特許文献１】特開２０１０−９８６１２号公報
【特許文献２】特開２００２−９４３９２号公報
【特許文献３】特開２０１１−７７９９６号公報
【特許文献４】特開２０１０−１１９０２８号公報
【発明の概要】
【発明が解決しようとする課題】
【０００９】
例えば、１ｘ方式の通信のプロトコル状態がアイドル中や位置登録動作中の状態では、ＴＣＨ（Traffic  Chanel）通信中（音声通信中）の時間に比較して短い。しかしながら、日本国内のＳＡＲ規格（ＡＲＩＢ  ＳＴＤ−Ｔ５６電波利用における人体の防護指針）では、１ｘ方式の通信のプロトコル状態がアイドル中や位置登録動作中の状態の場合、ＬＴＥ方式の無線部の送信電力値を制限する最大値制御が要求されていない。
【００１０】
しかしながら、マルチ無線端末では、１ｘ方式のプロトコル状態がアイドル中や位置登録動作中の状態でも、一律にＬＴＥ方式の無線部の送信電力値を制限する。その結果、マルチ無線端末では、ＬＴＥ方式の送信電力値が小さくなってデータが基地局に到達できず、通信のスループットが低下する。
【００１１】
また、ＳＡＲ規定は国毎に異なる。また、グローバル仕様のマルチ無線端末では、全仕向け国の内、ＳＡＲ基準値が一番厳格な仕向け国のＳＡＲ規定に準拠し、ＳＡＲ規定に準拠したＬＴＥ送信電力最大値を設定する。しかしながら、ＳＡＲ基準値が一番厳格な仕向け国のＳＡＲ規定に準拠したマルチ無線端末では、ＳＡＲ規定が緩い国で使用する場合でも、ＬＴＥ送信電力最大値が小さくなってＬＴＥ方式の通信スループットが低下する。
【００１２】
一つの側面では、ＳＡＲ規定によるＬＴＥ方式の通信スループットの低下を軽減できる制御プログラム、無線端末装置及び制御方法を提供することを目的とする。
【課題を解決するための手段】
【００１３】
一つの案では、第１の通信方式の通信及び第２の通信方式の通信を同時に無線通信可能とする無線端末装置のプロセッサは、前記第１の通信方式の通信のプロトコル状態を監視する。更に、プロセッサは、前記第１の通信方式の通信のプロトコル状態が通信中の場合に、前記第２の通信方式の通信の送信電力値を制限する最大値制御を実行すると共に、前記第１の通信方式の通信のプロトコル状態が通信中以外の場合に、前記最大値制御を停止する。
【発明の効果】
【００１４】
開示の態様では、ＳＡＲ規定によるＬＴＥ方式の通信スループットの低下を軽減できる。
【図面の簡単な説明】
【００１５】
【図１】図１は、実施例１のマルチ無線端末の一例を示す説明図である。
【図２】図２は、１ｘ方式／ＥＶ-ＤＯ方式の通信エリアとＬＴＥ方式の通信エリアとの関係の一例を示す説明図である。
【図３】図３は、実施例１のマルチ無線端末内の１ｘデバイス、ＬＴＥデバイス及びＣＰＵの一例を示す説明図である。
【図４】図４は、１ｘ  ＴＣＨフラグの内容を示す説明図である。
【図５】図５は、変換テーブルの一例を示す説明図である。
【図６】図６は、１ｘデバイスの一例を示す説明図である。
【図７】図７は、１ｘ換算テーブルの対応関係の一例を示す説明図である。
【図８】図８は、ＬＴＥデバイスの一例を示す説明図である。
【図９】図９は、ＬＴＥ換算テーブルの一例を示す説明図である。
【図１０】図１０は、ＴＣＨフラグ設定処理に関わるマルチ無線端末のＣＰＵの処理動作の一例を示すフローチャートである。
【図１１】図１１は、第１のＳＡＲ制御処理に関わるマルチ無線端末のＣＰＵの処理動作の一例を示すフローチャートである。
【図１２】図１２は、実施例２のマルチ無線端末内の１ｘデバイス、ＬＴＥデバイス及びＣＰＵの一例を示す説明図である。
【図１３】図１３は、国別設定テーブルの一例を示す説明図である。
【図１４Ａ】図１４Ａは、“Ａ”の変換テーブルの一例を示す説明図である。
【図１４Ｂ】図１４Ｂは、“Ｂ”の変換テーブルの一例を示す説明図である。
【図１５】図１５は、ＰＬＭＮコードの一例を示す説明図である。
【図１６】図１６は、ＭＣＣ取得処理に関わるマルチ無線端末のＬＴＥベースバンド処理部の処理動作の一例を示すフローチャートである。
【図１７】図１７は、第２のＳＡＲ制御処理に関わるマルチ無線端末のＣＰＵの処理動作の一例を示すフローチャートである。
【図１８】図１８は、国別及び事業者別の設定テーブルの一例を示す説明図である。
【図１９】図１９は、制御プログラムを実行する無線端末装置を示す説明図である。
【発明を実施するための形態】
【００１６】
以下、図面に基づいて、本願の開示する制御プログラム、無線端末装置及び制御方法の実施例を詳細に説明する。尚、本実施例により、開示技術が限定されるものではない。また、以下に示す各実施例は、矛盾を起こさない範囲で適宜組み合わせても良い。
【実施例１】
【００１７】
図１は、実施例１のマルチ無線端末の一例を示す説明図である。図１に示すマルチ無線端末１は、１ｘデバイス１１と、ＥＶ−ＤＯデバイス１３と、ＬＴＥデバイス１２と、表示部１４と、操作部１５と、マイク１６と、スピーカ１７と、メモリ１８と、ＣＰＵ（Central  Processing  Unit）１９とを有する。
【００１８】
１ｘデバイス１１は、第１の通信方式としての１ｘ方式の無線通信を司るインタフェースである。１ｘデバイス１１は、アンテナ２１Ａと、１ｘ無線部２２Ａと、１ｘベースバンド処理部２３Ａとを有する。１ｘ無線部２２Ａは、アンテナ２１Ａを経由して１ｘ方式に準拠した音声や文字等の各種データの無線信号を受信して周波数変換する。１ｘベースバンド処理部２３Ａは、１ｘ無線部２２Ａで周波数変換された信号をベースバンド信号に変換すると共に、変換されたベースバンド信号をデジタル変換し、デジタル変換されたベースバンド信号を復調する。また、１ｘベースバンド処理部２３Ａは、送信データをベースバンド信号に変調すると共に、変調されたベースバンド信号をアナログ変換する。１ｘ無線部２２Ａは、１ｘベースバンド処理部２３Ａからのベースバンド信号を周波数変換すると共に、周波数変換された送信信号をアンテナ２１Ａ経由で送信出力する。
【００１９】
ＥＶ−ＤＯデバイス１３は、ＥＶ−ＤＯ方式の無線通信を司るインタフェースである。ＥＸ−ＤＯデバイス１３は、アンテナ２１Ｃと、ＥＶ−ＤＯ無線部２２Ｃと、ＥＶ−ＤＯベースバンド処理部２３Ｃとを有する。ＥＶ−ＤＯ無線部２２Ｃは、アンテナ２１Ｃを経由してＥＶ−ＤＯ方式に準拠した音声や文字等の各種データの無線信号を受信して周波数変換する。ＥＶ−ＤＯベースバンド処理部２３Ｃは、ＥＶ−ＤＯ無線部２２Ｃで周波数変換された信号をベースバンド信号に変換すると共に、変換されたベースバンド信号をデジタル変換し、デジタル変換されたベースバンド信号を復調する。また、ＥＶ−ＤＯベースバンド処理部２３Ｃは、送信データをベースバンド信号に変調すると共に、変調されたベースバンド信号をアナログ変換する。ＥＶ−ＤＯ無線部２２Ｃは、ＥＶ−ＤＯベースバンド処理部２３Ｃからのベースバンド信号を周波数変換すると共に、周波数変換された送信信号をアンテナ２１Ｃ経由で送信出力する。
【００２０】
ＬＴＥデバイス１２は、第２の通信方式としてのＬＴＥ方式の無線通信を司るインタフェースである。ＬＴＥデバイス１２は、アンテナ２１Ｂと、ＬＴＥ無線部２２Ｂと、ＬＴＥベースバンド処理部２３Ｂとを有する。ＬＴＥ無線部２２Ｂは、アンテナ２１Ｂを経由してＬＴＥ方式に準拠した音声や文字等の各種データの無線信号を受信して周波数変換する。ＬＴＥベースバンド処理部２３Ｂは、ＬＴＥ無線部２２Ｂで周波数変換された信号をベースバンド信号に変換すると共に、変換されたベースバンド信号をデジタル変換し、デジタル変換されたベースバンド信号を復調する。また、ＬＴＥベースバンド処理部２３Ｂは、送信データをベースバンド信号に変調すると共に、変調されたベースバンド信号をアナログ変換する。ＬＴＥ無線部２２Ｂは、ＬＴＥベースバンド処理部２３Ｂからのベースバンド信号を周波数変換すると共に、周波数変換された送信信号をアンテナ２１Ｂ経由で送信出力する。
【００２１】
表示部１４は、各種情報を画面表示する出力インタフェースである。操作部１５は、各種情報を入力する入力インタフェースである。マイク１６は、各種音声を収音する入力インタフェースである。スピーカ１７は、各種音声を音響出力する出力インタフェースである。メモリ１８は、各種情報を記憶する領域である。ＣＰＵ１９は、マルチ無線端末１全体を制御する。
【００２２】
図２は、１ｘ方式／ＥＶ−ＤＯ方式の通信エリアとＬＴＥ方式の通信エリアとの関係の一例を示す説明図である。図２に示す無線ネットワーク１００は、１ｘ方式／ＥＶ−ＤＯ方式の通信エリア２００と、ＬＴＥ方式の通信エリア３００とを有する。１ｘ方式／ＥＶ−ＤＯ方式の通信エリア２００は、近年広く普及しているサービスの通信エリアである。尚、１ｘ方式／ＥＶ−ＤＯ方式の通信エリア２００では、音声サービス及びパケットサービスを提供する。また、ＬＴＥ方式の通信エリア３００は、１ｘ方式／ＥＶ−ＤＯ方式の通信に比較して新しいサービスであり、人口の密集した都市を中心にパケットサービスを提供する。尚、ＬＴＥ方式の通信エリア３００では、高速パケットサービスを提供する。従って、ＬＴＥ方式の通信エリア３００では、１ｘ／ＥＶ−ＤＯ方式の通信エリア２００に比較して狭い。１ｘ方式／ＥＶ−ＤＯ方式の通信エリア２００では、複数の１ｘ基地局２０１やＥＶ−ＤＯ基地局２０２を配置する。ＬＴＥ方式の通信エリア３００では、複数のＬＴＥ基地局３０１を配置する。マルチ無線端末１は、例えば、１ｘ基地局２０１及びＬＴＥ基地局３０１と同時に無線送信する場合がある。
【００２３】
図３は、実施例１のマルチ無線端末１内の１ｘデバイス１１、ＬＴＥデバイス１２及びＣＰＵ１９の一例を示す説明図である。図３に示すＣＰＵ１９は、１ｘプロトコル処理部３１及びＳＡＲ制御部３２を有する。ＣＰＵ１９は、メモリ１８に格納された図示せぬ監視プログラムを読み出し、読み出された監視プログラムに対応した監視プロセスを実行して１ｘプロトコル処理部３１として機能する。１ｘプロトコル処理部３１は、１ｘ方式の通信のプロトコル状態、例えば、ＴＣＨ通信中や、ＴＣＨ通信中以外のアイドル状態や位置登録動作中の状態を監視する。１ｘプロトコル処理部３１は、１ｘ方式の通信の現在のプロトコル状態がＴＣＨ通信中の場合、１ｘ  ＴＣＨフラグを“１”に設定する。また、１ｘプロトコル処理部３１は、現在のプロトコル状態がＴＣＨ通信中以外の場合、１ｘ  ＴＣＨフラグを“０”に設定する。図４は、１ｘ  ＴＣＨフラグの内容を示す説明図である。１ｘ  ＴＣＨフラグが“１”の場合は、１ｘ方式の通信のプロトコル状態がＴＣＨ通信中である。１ｘ  ＴＣＨフラグが“０”の場合は、１ｘ方式の通信のプロトコル状態がＴＣＨ通信中以外である。
【００２４】
また、ＣＰＵ１９は、メモリ１８に格納された図示せぬ制御プログラムを読み出し、読み出された制御プログラムに対応した制御プロセスを実行してＳＡＲ制御部３２として機能する。ＳＡＲ制御部３２は、１ｘベースバンド処理部２３Ａから１ｘ送信電力値に対応するＬＴＥ送信電力最大値を読み出し、読み出されたＬＴＥ送信電力最大値をＬＴＥデバイス１２内のＬＴＥベースバンド処理部２３Ｂに設定する。
【００２５】
図５は、変換テーブル４０の一例を示す説明図である。図５に示す変換テーブル４０は、１ｘ送信電力値４１に対応したＬＴＥ送信電力最大値４２を記憶する。尚、変換テーブル４０は、例えば、メモリ１８に格納されているものとする。ＳＡＲ制御部３２は、１ｘ  ＴＣＨフラグが“１”の場合、図５の変換テーブル４０を参照して、１ｘ送信電力値４１に対応したＬＴＥ送信電力最大値４２を読み出し、読み出されたＬＴＥ送信電力最大値４２をＬＴＥベースバンド処理部２３Ｂに設定する。ＳＡＲ制御部３２は、設定されたＬＴＥ送信電力最大値に基づき、ＬＴＥベースバンド処理部２３Ｂ内のＬＴＥ送信電力値を制限する最大値制御を実行する。また、ＳＡＲ制御部３２は、１ｘ  ＴＣＨフラグが“０”の場合、最大値制御を停止する。
【００２６】
図６は、１ｘデバイス１１の一例を示す説明図である。図６に示す１ｘデバイス１１は、送信側の１ｘ無線部２２Ａ及び１ｘベースバンド処理部２３Ａである。１ｘ無線部２２Ａは、第１のＤＡＣ（Digital  Analog  Converter）５０と、第１のフィルタ５１と、ミキサ５２と、局部発振器５３と、ＩＦ(Intermediate  Frequency)アンプ５４と、第２のフィルタ５５と、ＲＦ（Radio  Frequency）アンプ５６とを有する。更に、１ｘ無線部２２Ａは、第３のフィルタ５７と、第２のＤＡＣ５８と、第３のＤＡＣ５９とを有する。
【００２７】
第１のＤＡＣ５０は、符号化された送信データをアナログ変換する。第１のフィルタ５１は、アナログ変換された送信信号であるベースバンド信号にフィルタ処理を施す。ミキサ５２は、フィルタ処理が施されたベースバンド信号と、局部発振器５３からの搬送周波数とを混合してＩＦ信号を生成する。ＩＦアンプ５４は、生成したＩＦ信号を増幅する。第２のフィルタ５５は、ＩＦアンプ５４で増幅されたＩＦ信号にフィルタ処理を施す。ＲＦアンプ５６は、フィルタ処理が施されたＩＦ信号のＲＦ信号を増幅する。第３のフィルタ５７は、ＲＦ信号にフィルタ処理を施す。アンテナ２１Ａは、フィルタ処理が施されたＲＦ信号を送信出力する。
【００２８】
１ｘベースバンド処理部２３Ａは、送信データを符号化するデータ符号化部６１と、１ｘ無線部２２Ａの送信電力を制御する１ｘ送信制御部６２とを有する。１ｘ送信制御部６２は、１ｘ換算テーブル６３を有し、１ｘ換算テーブル６３を参照して、１ｘ無線部２２Ａ内のＩＦアンプ５４及びＲＦアンプ５６の利得を制御することで、１ｘ無線部２２Ａの送信電力を制御する。１ｘ送信制御部６２は、設定する１ｘ送信電力値を取得し、１ｘ送信電力値に対応したＩＦアンプ５４の制御値（１０ビットのＩＦ−ＡＭＰ制御値）及びＲＦアンプ５６の制御値（２ビットのＲＦ−ＡＭＰ制御値）を１ｘ換算テーブル６３から取得する。
【００２９】
図７は、１ｘ換算テーブル６３の一例を示す説明図である。図７に示す１ｘ換算テーブル６３は、１ｘ送信電力値６３Ａ毎に、１０ビットのＩＦ−ＡＭＰ制御値６３Ｂ及び２ビットのＲＦ−ＡＭＰ制御値６３Ｃを管理する。１ｘ送信制御部６２は、取得された１ｘ送信電力値に対応したＩＦ−ＡＭＰ制御値６３Ｂ及びＲＦ−ＡＭＰ制御値６３Ｃを１ｘ換算テーブル６３から取得する。そして、１ｘ送信制御部６２は、取得されたＩＦ−ＡＭＰ制御値６３ＢをＩＦアンプ５４に設定すると共に、取得されたＲＦ−ＡＭＰ制御値６３ＣをＲＦアンプ５６に設定する。１ｘ送信制御部６２は、例えば、ＩＦ−ＡＭＰ制御値６３Ｂを「５３２」及びＲＦ−ＡＭＰ制御値６３Ｃを「２」とした場合、１ｘ送信電力値が２１ｄＢｍとなる。更に、１ｘ送信制御部６２は、１ｘ送信電力値をＳＡＲ制御部３２に通知する。
【００３０】
図８は、ＬＴＥデバイス１２の一例を示す説明図である。図８に示すＬＴＥデバイス１２は、ＬＴＥ無線部２２Ｂ及びＬＴＥベースバンド処理部２３Ｂである。ＬＴＥ無線部２２Ｂは、第１のＤＡＣ７０と、第１のフィルタ７１と、ミキサ７２と、局部発振器７３と、ＩＦアンプ７４と、第２のフィルタ７５と、ＲＦアンプ７６と、第３のフィルタ７７とを有する。更に、ＬＴＥ無線部２２Ｂは、第２のＤＡＣ７８と、第３のＤＡＣ７９とを有する。
【００３１】
第１のＤＡＣ７０は、符号化されたＬＴＥの送信データを送信信号にアナログ変換する。第１のフィルタ７１は、アナログ変換された送信信号であるＬＴＥベースバンド信号にフィルタ処理を施す。ミキサ７２は、ＬＴＥベースバンド信号と、局部発振器７３からのＬＴＥの搬送周波数とを混合してＬＴＥのＩＦ信号を生成する。ＩＦアンプ７４は、生成したＬＴＥのＩＦ信号を増幅する。第２のフィルタ７５は、ＩＦアンプ７４で増幅されたＬＴＥのＩＦ信号にフィルタ処理を施す。ＲＦアンプ７６は、フィルタ処理が施されたＬＴＥのＩＦ信号のＲＦ信号を増幅する。第３のフィルタ７７は、ＲＦ信号にフィルタ処理を施す。
【００３２】
ＬＴＥベースバンド処理部２３Ｂは、ＬＴＥの送信データを符号化するデータ符号化部８１と、ＬＴＥ無線部２２Ｂの送信電力を制御するＬＴＥ送信制御部８２とを有する。ＬＴＥ送信制御部８２は、ＬＴＥ無線部２２Ｂ内のＩＦアンプ７４及びＲＦアンプ７６の利得を制御することでＬＴＥ無線部２２Ｂの送信電力を制御する。ＬＴＥ送信制御部８２は、ＣＰＵ１９内のＳＡＲ制御部３２からＬＴＥ送信電力最大値を取得する。ＬＴＥ送信制御部８２は、ＬＴＥ送信電力最大値を取得し、ＬＴＥ送信電力最大値に対応したＩＦアンプ７４の制御値（１０ビットのＩＦ−ＡＭＰ制御値）及びＲＦアンプ７６の制御値（２ビットのＲＦ−ＡＭＰ制御値）をＬＴＥ換算テーブル８３から取得する。
【００３３】
図９は、ＬＴＥ換算テーブル８３の一例を示す説明図である。図９に示すＬＴＥ換算テーブル８３は、ＬＴＥ送信電力最大値８３Ａ毎に、１０ビットのＩＦ−ＡＭＰ制御値８３Ｂ及び２ビットのＲＦ−ＡＭＰ制御値８３Ｃを管理する。ＬＴＥ送信制御部８２は、取得されたＬＴＥ送信電力最大値８３Ａに対応したＩＦ−ＡＭＰ制御値８３Ｂ及びＲＦ−ＡＭＰ制御値８３ＣをＬＴＥ換算テーブル８３から取得する。そして、ＬＴＥ送信制御部８２は、取得されたＩＦ−ＡＭＰ制御値８３ＢをＩＦアンプ７４の上限値として設定すると共に、取得されたＲＦ−ＡＭＰ制御値８３ＣをＲＦアンプ７６の上限値として設定する。ＬＴＥ送信制御部８２は、例えば、ＬＴＥ送信電力最大値８３Ａを２２ｄＢｍとした場合、ＲＦ−ＡＭＰ制御値８３Ｃを「２」以下、ＩＦ−ＡＭＰ制御値８３Ｂを「５７５」以下の範囲で設定することになる。
【００３４】
次に実施例１のマルチ無線端末１の動作について説明する。図１０は、ＴＣＨフラグ設定処理に関わるマルチ無線端末１のＣＰＵ１９の処理動作の一例を示すフローチャートである。図１０に示すＴＣＨフラグ設定処理は、１ｘ方式の通信のプロトコル状態の監視結果に応じてＴＣＨフラグを設定する処理である。図１０においてＣＰＵ１９内の１ｘプロトコル処理部３１は、１ｘ  ＴＣＨ通信を開始したか否かを判定する（ステップＳ１１）。１ｘプロトコル処理部３１は、１ｘ  ＴＣＨ通信を開始した場合（ステップＳ１１肯定）、１ｘ  ＴＣＨ通信中と判定し、１ｘ  ＴＣＨフラグを“１”に設定する（ステップＳ１２）。
【００３５】
１ｘプロトコル処理部３１は、１ｘ  ＴＣＨフラグを“１”に設定した後、１ｘ  ＴＣＨ通信を終了したか否かを判定する（ステップＳ１３）。１ｘプロトコル処理部３１は、１ｘ  ＴＣＨ通信が終了した場合（ステップＳ１３肯定）、１ｘ  ＴＣＨ通信中以外と判定し、１ｘ  ＴＣＨフラグを「０」に設定し（ステップＳ１４）、図１０に示す処理動作を終了する。
【００３６】
１ｘプロトコル処理部３１は、１ｘ  ＴＣＨ通信を開始していない場合（ステップＳ１１否定）、１ｘ  ＴＣＨ通信を開始したか否かを判定すべく、ステップＳ１１に移行する。１ｘプロトコル処理部３１は、１ｘ  ＴＣＨ通信を終了しなかった場合（ステップＳ１３否定）、ステップＳ１３に移行する。
【００３７】
図１０に示すＴＣＨフラグ設定処理の１ｘプロトコル処理部３１は、１ｘ  ＴＣＨ通信開始の場合、１ｘ  ＴＣＨフラグを“１”に設定する。その結果、ＳＡＲ制御部３２は、１ｘ  ＴＣＨフラグが“１”の場合、１ｘ方式の通信のプロトコル状態が１ｘ  ＴＣＨ通信中と識別できる。
【００３８】
また、１ｘプロトコル処理部３１は、１ｘ  ＴＣＨ通信終了の場合、１ｘ  ＴＣＨフラグを“０”に設定する。その結果、ＳＡＲ制御部３２は、１ｘ  ＴＣＨフラグが“０”の場合、１ｘ方式の通信のプロトコル状態が１ｘ  ＴＣＨ通信中以外と識別できる。
【００３９】
図１１は、第１のＳＡＲ制御処理に関わるマルチ無線端末１のＣＰＵ１９の処理動作の一例を示すフローチャートである。図１１に示す第１のＳＡＲ制御処理は、１ｘ  ＴＣＨフラグの設定結果に基づきＬＴＥベースバンド処理部２３Ｂ側のＬＴＥ送信電力最大値を設定する処理である。
【００４０】
図１１においてＣＰＵ１９内のＳＡＲ制御部３２は、ＬＴＥ通信の開始を要求する（ステップＳ２１）。ＳＡＲ制御部３２は、１ｘベースバンド処理部２３Ａから現在の１ｘ送信電力値を取得する（ステップＳ２２）。ＳＡＲ制御部３２は、１ｘプロトコル処理部２３Ａから現在設定中の１ｘ  ＴＣＨフラグを取得し（ステップＳ２３）、現在設定中の１ｘ  ＴＣＨフラグが“１”であるか否かを判定する（ステップＳ２４）。
【００４１】
ＳＡＲ制御部３２は、現在設定中の１ｘ  ＴＣＨフラグが“１”の場合（ステップＳ２４肯定）、１ｘ方式のプロトコル状態が１ｘ  ＴＣＨ通信中と判定し、図５の変換テーブル４０を参照する。更に、ＳＡＲ制御部３２は、変換テーブル４０を参照し、１ｘ送信電力値に対応したＬＴＥ送信電力最大値を読み出す（ステップＳ２５）。更に、ＳＡＲ制御部３２は、取得されたＬＴＥ送信電力最大値をＬＴＥベースバンド処理部２３Ｂに設定し（ステップＳ２６）、ＬＴＥ通信を開始すべく（ステップＳ２７）、図１１に示す処理動作を終了する。尚、ＳＡＲ制御部３２は、図５の変換テーブル４０を参照して１ｘ送信電力値４１に対応したＬＴＥ送信電力最大値４２をＬＴＥベースバンド処理部２３Ｂに設定する場合、設定されたＬＴＥ送信電力最大値に基づき、最大値制御を実行する。
【００４２】
ＳＡＲ制御部３２は、現在設定中の１ｘ  ＴＣＨフラグが“１”でない場合（ステップＳ２４否定）、すなわち“０”と判定する。そして、ＳＡＲ制御部３２は、１ｘ  ＴＣＨフラグが“０”の場合、ＬＴＥ送信電力最大値を固定の２３ｄＢｍとし（ステップＳ２８）、ＬＴＥ送信電力最大値をＬＴＥベースバンド処理部２３Ｂに設定すべく、ステップＳ２６に移行する。尚、ＳＡＲ制御部３２は、ＬＴＥ送信電力最大値として固定の２３ｄＢｍをＬＴＥベースバンド処理部２３Ｂに設定した場合、最大値制御を停止する。
【００４３】
図１１に示す第１のＳＡＲ制御処理のＳＡＲ制御部３２は、現在設定中の１ｘ  ＴＣＨフラグが“１”の場合、現在の１ｘ送信電力値に対応したＬＴＥ送信電力最大値をＬＴＥベースバンド処理部２３Ｂに設定する。更に、ＳＡＲ制御部３２は、設定されたＬＴＥ送信電力最大値に基づく最大値制御を実行する。その結果、ＣＰＵ１９は、１ｘ方式のプロトコル状態が１ｘ  ＴＣＨ通信中の場合に最大値制御を実行することで、ＳＡＲ規定に準拠したＬＴＥ方式の送信電力値を制限できる。
【００４４】
ＳＡＲ制御部３２は、現在設定中の１ｘ  ＴＣＨフラグが“０”の場合、ＬＴＥ送信電力最大値を固定の２３ｄＢｍとしてＬＴＥベースバンド処理部２３Ｂに設定する。更に、ＳＡＲ制御部３２は、最大値制御を停止する。その結果、ＣＰＵ１９は、１ｘ方式のプロトコル状態が１ｘ  ＴＣＨ通信中以外の場合に最大値制御を一律に実行するのではなく、最大値制御を停止することで、ＳＡＲ規定によるＬＴＥ方式の通信スループットの低下を軽減できる。
【００４５】
実施例１のＣＰＵ１９は、現在設定中の１ｘ  ＴＣＨフラグが“０”の場合、ＬＴＥ送信電力最大値を固定の２３ｄＢｍとしてＬＴＥベースバンド処理部２３Ｂに設定し、最大値制御を停止する。その結果、ＣＰＵ１９は、１ｘ方式のプロトコル状態が１ｘ  ＴＣＨ通信中以外の場合に最大値制御を一律に実行するのではなく、最大値制御を停止することで、ＳＡＲ規定によるＬＴＥ方式の通信スループットの低下を軽減できる。
【００４６】
また、ＣＰＵ１９は、１ｘプロトコル処理部３１を通じて１ｘ方式の基地局２０１に対するアイドル中又は位置登録動作中を検出すると、１ｘ方式のプロトコル状態が１ｘ  ＴＣＨ通信中以外と判定する。その結果、ＣＰＵ１９は、１ｘ方式のプロトコル状態がアイドル中又は位置登録動作中の場合に最大値制御を一律に実行するのではなく、最大値制御を停止することで、ＳＡＲ規定によるＬＴＥ方式の通信スループットの低下を軽減できる。
【００４７】
また、ＣＰＵ１９は、１ｘ  ＴＣＨフラグが“１”の場合に、現在の１ｘ送信電力値を取得し、１ｘ送信電力値に対応するＬＴＥ送信電力最大値を格納した変換テーブル４０を参照し、現在の１ｘ送信電力値に対応したＬＴＥ送信電力最大値を設定する。更に、ＣＰＵ１９は、設定されたＬＴＥ送信電力最大値に基づき、ＬＴＥ方式の送信電力値を制限する最大値制御を実行する。その結果、ＣＰＵ１９は、１ｘ方式のプロトコル状態が１ｘ  ＴＣＨ通信中の場合に最大値制御を実行することで、ＳＡＲ規定に準拠したＬＴＥ方式の送信電力値を制限できる。
【００４８】
上記実施例１では、１ｘ  ＴＣＨフラグの設定内容に基づき、ＳＡＲ規定による１ｘ送信電力値に対応したＬＴＥ送信電力最大値を設定し、設定されたＬＴＥ送信電力最大値に基づき最大値制御を実行した。しかしながら、ＳＡＲ規定は、仕向け国によって異なる。そこで、仕向け国に応じた最大値制御を実現するマルチ無線端末につき、実施例２として以下に説明する。尚、図１に示すマルチ無線端末１と同一の構成には同一符号を付すことで、その重複する構成及び動作の説明については省略する。
【実施例２】
【００４９】
図１２は、実施例２のマルチ無線端末１Ａ内の１ｘデバイス１１、ＬＴＥデバイス１２及びＣＰＵ１９の一例を示す説明図である。図１２に示すマルチ無線端末１Ａは、１ｘデバイス１１と、ＬＴＥデバイス１２と、ＣＰＵ１９とを有する。ＬＴＥデバイス１２内のＬＴＥベースバンド処理部２３Ｂは、ＬＴＥ方式の受信信号に含まれるＰＬＭＮ（Public  Land  Mobile  Network）コードからＭＣＣ（移動国コード：Mobile  Country  Code）を取得する。ＣＰＵ１９は、ＭＣＣに基づき現在の国情報を認識できる。
【００５０】
ＣＰＵ１９内のＳＡＲ制御部３２Ａは、１ｘベースバンド処理部２３Ｂから１ｘ送信電力値を取得すると共に、１ｘプロトコル処理部２３Ｂから１ｘ  ＴＣＨフラグを取得する。更に、ＳＡＲ制御部３２Ａは、ＬＴＥベースバンド処理部２３ＢからＭＣＣを取得する。図１３は、国別設定テーブルの一例を示す説明図である。図１３に示す国別設定テーブル９０は、国情報９１毎に、ＳＡＲ基準値９２と、ＭＣＣ９３と、変換テーブル識別子９４と、１ｘ  ＴＣＨフラグの使用有無９５とを対応付けて管理している。ＳＡＲ制御部３２Ａは、ＭＣＣを取得すると、図１３の国別設定テーブル９０を参照し、ＭＣＣに対応した変換テーブル識別子９４及び１ｘ  ＴＣＨフラグの使用有無９５を読み出す。ＳＡＲ制御部３２Ａは、例えば、取得されたＭＣＣが“４４０”の日本の場合、“Ａ”の変換テーブル４０Ａを使用すると共に、１ｘ  ＴＣＨフラグを使用する。また、ＳＡＲ制御部３２Ａは、例えば、取得されたＭＣＣが“３１０”の米国の場合、“Ａ”の変換テーブル４０Ａを使用すると共に、１ｘ  ＴＣＨフラグを使用する。また、ＳＡＲ制御部３２Ａは、例えば、取得されたＭＣＣが“２２８”の中国の場合、“Ｂ”の変換テーブル４０Ｂを使用すると共に、１ｘ  ＴＣＨフラグを使用しない。図１４Ａは、“Ａ”の変換テーブル４０Ａの一例を示す説明図である。図１４Ａに示す“Ａ”の変換テーブル４０Ａは、例えば、米国及び日本のＳＡＲ規格に準拠した、１ｘ送信電力値４１及びＬＴＥ送信電力最大値４２を対応付けて管理したテーブルである。図１４Ｂは、“Ｂ”の変換テーブル４０Ｂの一例を示す説明図である。図１４Ｂに示す“Ｂ”の変換テーブル４０Ｂは、例えば、中国のＳＡＲ規格に準拠した、１ｘ送信電力値４１及びＬＴＥ送信電力最大値４２を対応付けて管理したテーブルである。
【００５１】
ＣＰＵ１９内のＳＡＲ制御部３２Ａは、ＬＴＥ方式の受信信号からＰＬＭＮコードを取得する。図１５は、ＰＬＭＮコードの一例を示す説明図である。図１５に示すＰＬＭＮコード９７は、３桁のＭＭＣ９７Ａと、３桁のＭＮＣ（事業者コード：Mobile  Network  Code）９７Ｂとを有する。
【００５２】
次に実施例２のマルチ無線端末１Ａの動作について説明する。図１６は、ＭＣＣ取得処理に関わるマルチ無線端末１ＡのＬＴＥベースバンド処理部２３Ｂの処理動作の一例を示すフローチャートである。図１６に示すＭＣＣ取得処理は、ＬＴＥ方式の受信信号からＭＣＣを取得する処理である。
【００５３】
図１６においてＬＴＥベースバンド処理部２３Ｂは、ＬＴＥ方式の受信信号からＰｒｉｍａｒｙ信号及びＳｅｃｏｎｄａｒｙ信号の同期処理で得たスクランブリングのセルＩＤ（０〜５０３）を抽出する（ステップＳ３１）。ＬＴＥベースバンド処理部２３Ｂは、取得されたセルＩＤに基づき受信信号からＰＢＣＨ（Physical  Broadcast  Channel）を復調する（ステップＳ３２）。
【００５４】
ＬＴＥベースバンド処理部２３Ｂは、ＰＢＣＨを復調すると、ＢＣＣＨ信号を取得する（ステップＳ３３）。ＬＴＥベースバンド処理部２３Ｂは、取得されたＢＣＣＨ信号のＳＩＢ１(System  Information  Block  １)からＰＬＭＮコードを取得する（ステップＳ３４）。そして、ＬＴＥベースバンド処理部２３Ｂは、取得されたＰＬＭＮコードからＭＣＣを取得し（ステップＳ３５）、図１６に示す処理動作を終了する。
【００５５】
図１６に示すＭＣＣ取得処理のＬＴＥベースバンド処理部２３Ｂは、ＬＴＥ方式の受信信号からＰＬＭＮコード内のＭＣＣを取得する。ＬＴＥベースバンド処理部２３Ｂは、ＭＣＣに基づき現在国を識別できる。
【００５６】
図１７は、第２のＳＡＲ制御処理に関わるマルチ無線端末１ＡのＣＰＵ１９の処理動作の一例を示すフローチャートである。図１７に示す第２のＳＡＲ制御処理は、ＬＴＥ方式の受信信号で取得したＭＣＣ及び１ｘ  ＴＣＨフラグの設定結果に基づきＬＴＥベースバンド処理部２３Ｂ側のＬＴＥ送信電力最大値を設定する処理である。
【００５７】
図１７においてＣＰＵ１９内のＳＡＲ制御部３２Ａは、ＬＴＥ通信の開始を要求する（ステップＳ４１）。ＳＡＲ制御部３２Ａは、１ｘベースバンド処理部２３Ａから現在の１ｘ送信電力値を取得する（ステップＳ４２）。ＳＡＲ制御部３２Ａは、１ｘプロトコル処理部２３Ａから現在設定中の１ｘ  ＴＣＨフラグを取得する（ステップＳ４３）。更に、ＳＡＲ制御部３２Ａは、ＭＣＣ取得処理を通じてＭＣＣを取得する（ステップＳ４４）。ＳＡＲ制御部３２Ａは、図１３の国別設定テーブル９０を参照し、取得されたＭＣＣに対応する１ｘ  ＴＣＨフラグが「使用する」であるか否かを判定する（ステップＳ４５）。ＳＡＲ制御部３２Ａは、１ｘ  ＴＣＨフラグが「使用する」の場合（ステップＳ４５肯定）、現在設定中の１ｘ  ＴＣＨフラグが“１”であるか否かを判定する（ステップＳ４６）。
【００５８】
ＳＡＲ制御部３２Ａは、現在設定中の１ｘ  ＴＣＨフラグが“１”の場合（ステップＳ４６肯定）、１ｘ方式のプロトコル状態が１ｘ  ＴＣＨ通信中と判定する。更に、ＳＡＲ制御部３２Ａは、変換テーブル識別子９４に基づき、“Ａ”の変換テーブル４０Ａを使用するか否かを判定する（ステップＳ４７）。ＳＡＲ制御部３２Ａは、“Ａ”の変換テーブル４０Ａを使用する場合（ステップＳ４７肯定）、“Ａ”の変換テーブル４０Ａを参照し、現在設定中の１ｘ  ＴＣＨフラグ及び１ｘ送信電力値に対応したＬＴＥ送信電力最大値を読み出す（ステップＳ４８）。
【００５９】
ＳＡＲ制御部３２Ａは、読み出されたＬＴＥ送信電力最大値をＬＴＥベースバンド処理部２３Ｂに設定し（ステップＳ４９）、ＬＴＥ通信を開始し（ステップＳ５０）、図１７に示す処理動作を終了する。また、ＳＡＲ制御部３２Ａは、“Ａ”の変換テーブル４０Ａを使用しない場合（ステップＳ４７否定）、“Ｂ”の変換テーブル４０Ｂを使用すると判定し、“Ｂ”の変換テーブル４０Ｂを参照する。更に、ＳＡＲ制御部３２Ａは、現在設定中の１ｘ  ＴＣＨフラグ及び１ｘ送信電力値に対応したＬＴＥ送信電力最大値を読み出し（ステップＳ５１）、ＬＴＥ送信電力最大値を設定すべく、ステップＳ４９に移行する。
【００６０】
また、ＳＡＲ制御部３２Ａは、ＭＣＣに対応した１ｘ  ＴＣＨフラグが「使用する」でない場合（ステップＳ４５否定）、“Ａ”の変換テーブル４０Ａを使用するか否かを判定すべく、ステップＳ４７に移行する。また、ＳＡＲ制御部３２Ａは、現在設定中の１ｘ  ＴＣＨフラグが“１”でない場合（ステップＳ４６否定）、すなわち１ｘ  ＴＣＨフラグが“０”と判定し、１ｘ方式のプロトコル状態がＴＣＨ通信中以外と判定する。そして、ＳＡＲ制御部３２Ａは、ＬＴＥ送信電力最大値を固定の２３ｄＢｍとし（ステップＳ５２）、ＬＴＥ送信電力最大値をＬＴＥベースバンド処理部２３Ｂに設定すべく、ステップＳ４９に移行する。尚、ＳＡＲ制御部３２Ａは、ＬＴＥ送信電力最大値として固定の２３ｄＢｍをＬＴＥベースバンド処理部２３Ｂに設定した場合、最大値制御を停止する。
【００６１】
図１７に示す第２のＳＡＲ制御処理のＳＡＲ制御部３２Ａは、現在設定中の１ｘ  ＴＣＨフラグが“１”でＭＣＣを取得した場合、現在の１ｘ送信電力値及びＭＣＣに対応したＬＴＥ送信電力最大値をＬＴＥベースバンド処理部２３Ｂに設定する。更に、ＳＡＲ制御部３２Ａは、設定されたＬＴＥ送信電力最大値に基づく最大値制御を実行する。その結果、ＣＰＵ１９は、１ｘ方式のプロトコル状態が１ｘ  ＴＣＨ通信中の場合に最大値制御を実行することで、国毎のＳＡＲ規定に準拠したＬＴＥ方式の送信電力値を制限できる。
【００６２】
ＳＡＲ制御部３２Ａは、現在設定中の１ｘ  ＴＣＨフラグが“０”の場合、ＬＴＥ送信電力最大値を固定の２３ｄＢｍとしてＬＴＥベースバンド処理部２３Ｂに設定する。更に、ＳＡＲ制御部３２Ａは、最大値制御を停止する。その結果、ＣＰＵ１９は、１ｘ方式のプロトコル状態が１ｘ  ＴＣＨ通信中以外の場合に最大値制御を一律に実行するのではなく、最大値制御を停止することで、ＳＡＲ規定によるＬＴＥ方式の通信スループットの低下を軽減できる。
【００６３】
上記実施例２のＣＰＵ１９は、ＬＴＥ方式の受信信号からＭＣＣを取得し、国別設定テーブル９０を参照し、取得されたＭＣＣに応じてＬＴＥ送信電力最大値をＬＴＥベースバンド処理部２３Ｂに設定する。更に、ＣＰＵ１９は、設定されたＬＴＥ送信電力最大値に基づき、ＬＴＥ方式の送信電力値を制限する最大値制御を実行する。その結果、ＣＰＵ１９は、現在の国に応じたＳＡＲ規定による最大値制御を実行する。
【００６４】
また、ＣＰＵ１９は、現在の国が１ｘ  ＴＣＨフラグを使用する国の場合、現在設定中の１ｘ  ＴＣＨフラグが“０”の場合、ＬＴＥ送信電力最大値を固定の２３ｄＢｍとしてＬＴＥベースバンド処理部２３Ｂに設定し、最大値制御を停止する。その結果、ＣＰＵ１９は、１ｘ方式のプロトコル状態が１ｘ  ＴＣＨ通信中以外の場合に最大値制御を一律に実行するのではなく、最大値制御を停止することで、ＳＡＲ規定によるＬＴＥ方式の通信スループットの低下を軽減できる。
【００６５】
尚、上記実施例２のＣＰＵ１９では、仕向け国に応じて二種類の“Ａ”及び“Ｂ”の変換テーブル４０Ａ及び４０Ｂを使用したが、２種類に限定されるものではなく、仕向け国毎に変換テーブル４０を準備しても良い。
【００６６】
また、ＣＰＵ１９は、ＬＴＥ方式の受信信号からＰＬＭＮコード内のＭＣＣを取得したが、例えば、１ｘ方式やＥＶ−ＤＯ方式の受信信号から取得した国情報を取得しても良い。
【００６７】
また、ＣＰＵ１９は、ＬＴＥ方式の受信信号からＭＣＣを取得し、ＭＣＣに応じて変換テーブル４０を選択した。しかしながら、ＭＣＣだけでなく、ＭＣＣ及びＭＮＣ両方、すなわち、国及び事業者に応じて変換テーブル４０を選択しても良い。図１８は、国別及び事業者別の設定テーブルの一例を示す説明図である。図１８に示す設定テーブル９８は、ＭＣＣ９８Ａと、ＭＮＣ９８Ｂと、国−事業者９８Ｃとを対応付けて管理する。ＣＰＵ１９内のＬＴＥベースバンド処理部２３Ｂは、ＬＴＥ方式の受信信号からＰＬＭＮコードを取得する。ＣＰＵ１７は、ＰＬＭＮコードからＭＣＣ及びＭＮＣを取得し、図１８の設定テーブル９８のテーブル内容を参照し、ＭＣＣ及びＭＮＣに基づき国情報及び事業者情報を認識する。そして、ＳＡＲ制御部３２Ａは、認識された国情報及び事業者情報に対応する変換テーブル４０を選択する。その結果、利用者は、国情報及び事業者情報に対応したＳＡＲ規定の変換テーブル４０を自動的に選択できる。
【００６８】
上記実施例では、スマートフォン等のマルチ無線端末１を例示したが、例えば、１ｘ方式及びＬＴＥ方式の通信機能を備えた無線端末であれば適用可能である。
【００６９】
また、上記実施例では、ＬＴＥ方式の通信機能を備えたマルチ無線端末１を例示したが、ＬＴＥ方式の代わりにＷｉ−ＭＡＸ方式を適用したとしても同様の効果が得られる。
【００７０】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００７１】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしても良い。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【００７２】
ところで、本実施例で説明した各種の処理は、予め用意されたプログラムを無線端末装置で実行することで実現できる。そこで、以下では、上記実施例と同様の機能を有するプログラムを実行する無線端末装置の一例を説明する。図１９は、制御プログラムを実行する無線端末装置４００を示す説明図である。
【００７３】
図１９において制御プログラムを実行する無線端末装置４００では、ＲＯＭ４１０、ＲＡＭ４２０、プロセッサ４３０、操作部４４０、表示部４５０及び通信部４６０を有する。
【００７４】
そして、ＲＯＭ４１０には、上記実施例と同様の機能を発揮する制御プログラムが予め記憶されている。尚、ＲＯＭ４１０ではなく、図示せぬドライブで読取可能な記録媒体に制御プログラムが記録されていても良い。また、記録媒体としては、例えば、ＣＤ−ＲＯＭ、ＤＶＤディスク、ＵＳＢメモリ、ＳＤカード等の可搬型記録媒体、フラッシュメモリ等の半導体メモリ等でも良い。制御プログラムとしては、図１９に示すように、監視プログラム４１０Ａ及び制御プログラム４１０Ｂである。尚、プログラム４１０Ａ及び４１０Ｂについては、適宜統合又は分散しても良い。
【００７５】
そして、プロセッサ４３０は、これらのプログラム４１０Ａ及び４１０ＢをＲＯＭ４１０から読み出し、これら読み出された各プログラムを実行する。そして、プロセッサ４３０は、各プログラム４１０Ａ及び４１０Ｂを、監視プロセス４３０Ａ及び制御プロセス４３０Ｂとして機能する。
【００７６】
無線端末装置４００は、１ｘ方式の通信及びＬＴＥ方式の通信を同時に無線通信可能とする。プロセッサ４３０は、１ｘ方式の通信のプロトコル状態を監視する。プロセッサ４３０は、１ｘ方式の通信のプロトコル状態が通信中の場合に、ＬＴＥ方式の通信の送信電力値を制限する最大値制御を実行する。更に、プロセッサ４３０は、１ｘ方式の通信のプロトコル状態が通信中以外の場合に、最大値制御を停止する。その結果、ＳＡＲ規定によるＬＴＥ方式の通信スループットの低下を軽減できる。
【００７７】
以上、本実施例を含む実施の形態に関し、更に以下の付記を開示する。
【００７８】
（付記１）第１の通信方式の通信及び第２の通信方式の通信を同時に無線通信可能とする無線端末装置のプロセッサに、
前記第１の通信方式の通信のプロトコル状態を監視し、
前記第１の通信方式の通信のプロトコル状態が通信中の場合に、前記第２の通信方式の通信の送信電力の最大値を制限する最大値制御を実行すると共に、
前記第１の通信方式の通信のプロトコル状態が通信中以外の場合に、前記最大値制御を停止する
各処理を実行させることを特徴とする制御プログラム。
【００７９】
（付記２）前記最大値制御を停止する処理は、
前記第１の通信方式の通信の基地局に対するアイドル中又は位置登録中の状態を検出すると、前記第１の通信方式の通信のプロトコル状態が通信中以外の状態と判定することを特徴とする付記１に記載の制御プログラム。
【００８０】
（付記３）前記最大値制御を実行する処理として、
前記第１の通信方式の通信のプロトコル状態が通信中の場合に、前記第１の通信方式の通信に関わる現在の送信電力値を取得し、
前記第１の通信方式の通信に関わる現在の送信電力値が取得されると、前記第１の通信方式の通信に関わる送信電力値に対応する前記第２の通信方式の通信の送信電力の最大値を格納した記憶部を参照し、前記第１の通信方式の通信に関わる現在の送信電力値に対応した前記第２の通信方式の通信の送信電力の最大値を設定し、設定された最大値に基づき、前記最大値制御を実行する
各処理を前記プロセッサに実行させることを特徴とする付記１又は２に記載の制御プログラム。
【００８１】
（付記４）前記第１の通信方式は１ｘ方式、前記第２の通信方式はＬＴＥ方式であることを特徴とする付記１〜３の何れか一つに記載の制御プログラム。
【００８２】
（付記５）前記最大値制御を実行する処理として、
前記第２の通信方式の通信又は前記第１の通信方式の通信の無線信号から国情報を取得し、
前記国情報が取得されると、前記第２の通信方式の通信の送信電力の最大値を前記国情報毎に格納した記憶部を参照し、取得された前記国情報に応じて前記第２の通信方式の通信の送信電力の最大値を設定し、設定された最大値に基づき、前記最大値制御を実行する
各処理を前記プロセッサに実行させることを特徴とする付記１〜４の何れか一つに記載の制御プログラム。
【００８３】
（付記６）前記最大値制御を実行する処理として、
前記第２の通信方式の通信又は前記第１の通信方式の通信の無線信号から国情報及び事業者情報を取得し、
前記国情報及び前記事業者情報が取得されると、前記第２の通信方式の通信の送信電力の最大値を前記国情報及び前記事業者情報毎に格納した記憶部を参照し、取得された前記国情報及び前記事業者情報に応じて前記第２の通信方式の通信の送信電力の最大値を設定し、設定された最大値に基づき、前記最大値制御を実行する
各処理を前記プロセッサに実行させることを特徴とする付記１〜４の何れか一つに記載の制御プログラム。
【００８４】
（付記７）前記第２の通信方式の通信をＷｉＭＡＸ方式の通信に代用したことを特徴とする付記１〜６の何れか一つに記載の制御プログラム。
【００８５】
（付記８）第１の通信方式の通信及び第２の通信方式の通信を同時に無線通信可能とする無線端末装置のプロセッサに、
前記第２の通信方式の通信又は前記第１の通信方式の通信の無線信号から国情報を取得し、
前記国情報が取得されると、前記第２の通信方式の送信電力の最大値を前記国情報毎に格納した記憶部を参照し、取得された前記国情報に対応する前記第２の通信方式の通信の送信電力の最大値を設定し、設定された最大値に基づき、前記最大値制御を実行する
各処理を実行させることを特徴とする制御プログラム。
【００８６】
（付記９）第１の通信方式の通信及び第２の通信方式の通信を同時に無線通信可能とする無線端末装置であって、
前記第１の通信方式の通信のプロトコル状態を監視する監視部と、
前記第１の通信方式の通信のプロトコル状態が通信中の場合に、前記第２の通信方式の通信の送信電力の最大値を制限する最大値制御を実行すると共に、前記第１の通信方式の通信のプロトコル状態が通信中以外の場合に、前記最大値制御を停止する制御部と
を有することを特徴とする無線端末装置。
【００８７】
（付記１０）第１の通信方式の通信及び第２の通信方式の通信を同時に無線通信可能とする無線端末装置であって、
国情報毎に、前記第２の通信方式の送信電力の最大値を格納した記憶部と、
前記第２の通信方式の通信又は前記第１の通信方式の通信の無線信号から国情報を取得する取得部と、
前記国情報が取得されると、前記記憶部を参照し、取得された前記国情報に対応する前記第２の通信方式の通信の送信電力の最大値を設定し、設定された最大値に基づき、前記第２の通信方式の通信の送信電力の最大値を制限する最大値制御を実行する制御部と
を有することを特徴とする無線端末装置。
【００８８】
（付記１１）第１の通信方式の通信及び第２の通信方式の通信を同時に無線通信可能とする無線端末装置の制御方法であって、
前記無線端末装置は、
前記第１の通信方式の通信のプロトコル状態を監視し、
前記第１の通信方式の通信のプロトコル状態が通信中の場合に、前記第２の通信方式の通信の送信電力の最大値を制限する最大値制御を実行すると共に、
前記第１の通信方式の通信のプロトコル状態が通信中以外の場合に、前記最大値制御を停止する
各処理を実行することを特徴とする制御方法。
【００８９】
（付記１２）第１の通信方式の通信及び第２の通信方式の通信を同時に無線通信可能とする無線端末装置の制御方法であって、
前記第２の通信方式の通信又は前記第１の通信方式の通信の無線信号から国情報を取得し、
前記国情報が取得されると、前記第２の通信方式の送信電力の最大値を前記国情報毎に格納した記憶部を参照し、取得された前記国情報に対応する前記第２の通信方式の通信の送信電力の最大値を設定し、設定された最大値に基づき、前記第２の通信方式の通信の送信電力の最大値を制限する最大値制御を実行する
各処理を実行することを特徴とする制御方法。
【符号の説明】
【００９０】
１  マルチ無線端末
１１  １ｘデバイス
１２  ＬＴＥデバイス
１９  ＣＰＵ
２３Ａ  １ｘベースバンド処理部
２３Ｂ  ＬＴＥベースバンド処理部
３１  １ｘプロトコル処理部
３２  ＳＡＲ制御部
３２Ａ  ＳＡＲ制御部
４０  変換テーブル
９０  国別設定テーブル
【図１】
2014072759.tif 000003
【図２】
2014072759.tif 000004
【図３】
2014072759.tif 000005
【図４】
2014072759.tif 000006
【図５】
2014072759.tif 000007
【図６】
2014072759.tif 000008
【図７】
2014072759.tif 000009
【図８】
2014072759.tif 000010
【図９】
2014072759.tif 000011
【図１０】
2014072759.tif 000012
【図１１】
2014072759.tif 000013
【図１２】
2014072759.tif 000014
【図１３】
2014072759.tif 000015
【図１４Ａ】
2014072759.tif 000016
【図１４Ｂ】
2014072759.tif 000017
【図１５】
2014072759.tif 000018
【図１６】
2014072759.tif 000019
【図１７】
2014072759.tif 000020
【図１８】
2014072759.tif 000021
【図１９】
2014072759.tif 000022